(57)【要約】【課題】複数の移動局装置に対するＨＳＤＰＡの割当を制御することにより、システム全体のスループットを向上させること。【解決手段】移動局装置１０１−１は、基地局装置１０２−１から送信される既知信号の受信品質値を検出して報告する。基地局装置１０２−１は、前記受信品質値と所定の閾値とを比較して前記受信品質値が所定の閾値以下であることを示されている時に品質不良信号を生成する品質不良信号生成部１０２１と、前記品質不良信号と該当する移動局装置１０１−１の識別子を基地局制御装置１０３に報告する品質不良信号報告部１０２４と、を具備する。基地局制御装置１０３は、基地局装置１０２に対して、移動局装置１０１−１に対するＨＳＤＰＡによるデータの伝送をＤＰＣＨによるデータの伝送に切り替えるように制御信号を送信する制御信号送信部１０３１を具備する。【選択図】      図１
2004328521.tif 000002
【特許請求の範囲】
【請求項１】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局装置は、前記移動局装置に対しＨＳＤＰＡによるデータの伝送を行う手段と、ＤＰＣＨによるデータの伝送を行う手段と、前記受信品質値が所定の閾値より小さいことを示されている時に品質不良信号を生成する品質不良信号生成手段と、前記品質不良信号を前記基地局制御装置に報告する品質不良信号報告手段とを具備し、前記基地局制御装置は、前記品質不良信号を基に前記移動局装置に対するデータ伝送をＨＳＤＰＡからＤＰＣＨに切り替えるように前記基地局装置に制御信号を送信する制御信号送信手段を具備し、前記基地局装置は、前記制御信号に基づき前記移動局装置に対するデータの伝送をＨＳＤＰＡからＤＰＣＨに切り替える手段を具備することを特徴とする無線通信システム。
【請求項２】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置は、前記移動局装置に対しＨＳＤＰＡによるデータの伝送を行う手段と、前記移動局装置に対しＤＰＣＨによるデータの伝送を行う手段と、前記受信品質比較結果により前記受信品質値が前記所定の閾値より小さいことを示されていることを検出して品質不良信号を生成する品質不良検出手段と、前記品質不良信号を前記基地局制御装置に報告する品質不良信号報告手段と、を具備し、前記基地局制御装置は、前記品質不良信号を基に前記移動局装置に対するデータ伝送をＨＳＤＰＡからＤＰＣＨに切り替えるように前記基地局装置に制御信号を送信する制御信号送信手段を具備し、前記基地局装置は、前記制御信号に基づき前記移動局装置に対するデータの伝送をＨＳＤＰＡからＤＰＣＨに切り替える手段を具備することを特徴とする無線通信システム。
【請求項３】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置は、前記受信品質比較結果により前記受信品質値が前記所定の閾値より小さいことを示されている時に品質不良信号を生成する品質不良信号生成手段と、前記品質不良信号を前記基地局制御装置に報告する品質不良信号報告手段と、ｐｒｉｍａｒｙＣＰＩＣＨより到達距離が短いｓｅｃｏｎｄａｒｙＣＰＩＣＨを追加して送信する手段と、を具備し、前記基地局制御装置は、前記品質不良信号を基に前記ｓｅｃｏｎｄａｒｙＣＰＩＣＨを追加して送信するように制御信号を前記基地局装置に送信する制御信号送信手段を具備し、前記基地局装置は、前記制御信号に基づき前記ｓｅｃｏｎｄａｒｙＣＰＩＣＨを追加して送信する手段を具備することを特徴とする無線通信システム。
【請求項４】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局装置に報告する品質不良判定信号報告手段と、を具備し、前記基地局装置は、前記移動局装置に対しＨＳＤＰＡによるデータの伝送を行う手段と、前記移動局装置に対しＤＰＣＨによるデータの伝送を行う手段と、前記品質不良判定信号を受けていることを検出して品質不良信号を生成する品質不良判定検出手段と、前記品質不良信号を前記基地局制御装置に報告する品質不良信号報告手段と、を具備し、前記基地局制御装置は、前記品質不良信号を基に前記移動局装置に対するデータ伝送をＨＳＤＰＡからＤＰＣＨに切り替えるように前記基地局装置に制御信号を送信する制御信号送信手段を具備し、前記基地局装置は、前記制御信号に基づき前記移動局装置に対するデータの伝送をＨＳＤＰＡからＤＰＣＨに切り替える手段を具備することを特徴とする無線通信システム。
【請求項５】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局装置は、前記移動局装置に対しＨＳＤＰＡによるデータの伝送を行う手段と、ＤＰＣＨによるデータの伝送を行う手段と、前記受信品質値と所定の閾値とを比較して前記受信品質値が前記所定の閾値より小さい時に品質不良信号を生成する品質不良信号生成手段と、前記品質不良信号を前記基地局制御装置に報告する品質不良信号報告手段と、を具備し、前記基地局制御装置は、単位時間当たりの前記品質不良信号の生成回数である品質不良信号生成回数を計測し前記品質不良信号生成回数が所定の回数以上である時に前記移動局装置に対するデータ伝送をＨＳＤＰＡからＤＰＣＨに切り替えるように前記基地局装置に制御信号を送信する制御信号送信手段を具備し、前記基地局装置は、前記制御信号に基づき前記移動局装置に対するデータの伝送をＨＳＤＰＡからＤＰＣＨに切り替える手段を具備することを特徴とする無線通信システム。
【請求項６】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局装置は、前記移動局装置に対しＨＳＤＰＡによるデータの伝送を行う手段と、ＤＰＣＨによるデータの伝送を行う手段と前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局制御装置に報告する品質不良判定信号報告手段と、を具備し、前記基地局制御装置は、前記品質不良判定信号に基づき前記移動局装置に対するデータ伝送をＨＳＤＰＡからＤＰＣＨに切り替えるように前記基地局装置に制御信号を送信する制御信号送信手段を具備し、前記基地局装置は、前記制御信号に基づき前記移動局装置に対するデータの伝送をＨＳＤＰＡからＤＰＣＨに切り替える手段を具備することを特徴とする無線通信システム。
【請求項７】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局制御装置は、品質不良信号を基に前記移動局装置に対するデータ伝送をＨＳＤＰＡからＤＰＣＨに切り替えるように前記基地局装置に前記制御信号を送信する制御信号送信手段を具備する無線通信システムにおける前記基地局装置であって、
前記移動局装置に対しＨＳＤＰＡによるデータの伝送を行う手段と、ＤＰＣＨによるデータの伝送を行う手段と、前記受信品質値が所定の閾値より小さいことを示されている時に前記品質不良信号を生成する品質不良信号生成手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段と、を具備することを特徴とする基地局装置。
【請求項８】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局装置は、前記移動局装置に対しＨＳＤＰＡによるデータの伝送を行う手段と、ＤＰＣＨによるデータの伝送を行う手段と、前記受信品質値が所定の閾値より小さいことを示されている時に品質不良信号を生成する品質不良信号生成手段と、前記品質不良信号を前記基地局制御装置に報告する品質不良信号報告手段と、前記基地局制御装置からの制御信号に基づき前記移動局装置に対するデータの伝送をＨＳＤＰＡからＤＰＣＨに切り替える手段と、を具備する無線通信システムにおける前記基地局制御装置であって、
前記品質不良信号を基に前記移動局装置に対するデータ伝送をＨＳＤＰＡからＤＰＣＨに切り替えるように前記基地局装置に前記制御信号を送信する制御信号送信手段を具備することを特徴とする基地局制御装置。
【請求項９】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局制御装置は、前記基地局装置からの品質不良信号を基に前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、
前記移動局装置に対しＨＳＤＰＡによるデータの伝送を行う手段と、前記移動局装置に対しＤＰＣＨによるデータの伝送を行う手段と、前記受信品質比較結果により前記受信品質値が前記所定の閾値より小さいことを示されていることを検出して前記品質不良信号を生成する品質不良検出手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段と、を具備することを特徴とする基地局装置。
【請求項１０】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置は、前記移動局装置に対しＨＳＤＰＡによるデータの伝送を行う手段と、前記移動局装置に対しＤＰＣＨによるデータの伝送を行う手段と、前記受信品質比較結果により前記受信品質値が前記所定の閾値より小さいことを示されていることを検出して品質不良信号を生成する品質不良検出手段と、前記品質不良信号を前記基地局制御装置に報告する品質不良信号報告手段と、前記基地局制御装置からの制御信号に基づき前記移動局装置に対するデータの伝送をＨＳＤＰＡからＤＰＣＨに切り替える手段を具備する無線通信システムにおける前記基地局制御装置であって、
前記品質不良信号を基に前記移動局装置に対するデータ伝送をＨＳＤＰＡからＤＰＣＨに切り替えるように前記基地局装置に前記制御信号を送信する制御信号送信手段を具備することを特徴とする基地局制御装置。
【請求項１１】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局制御装置は、前記基地局装置からの品質不良信号を基に前記ｓｅｃｏｎｄａｒｙＣＰＩＣＨを追加して送信するように制御信号を前記基地局装置に送信する制御信号送信手段を具備する無線通信システムにおける前記基地局装置であって、
前記受信品質比較結果により前記受信品質値が前記所定の閾値より小さいことを示されている時に前記品質不良信号を生成する品質不良信号生成手段と、前記品質不良信号を前記基地局制御装置に報告する品質不良信号報告手段と、ｐｒｉｍａｒｙＣＰＩＣＨより到達距離が短いｓｅｃｏｎｄａｒｙＣＰＩＣＨを追加して送信する手段と、前記基地局制御装置からの前記制御信号に基づき前記ｓｅｃｏｎｄａｒｙＣＰＩＣＨを追加して送信する手段と、を具備することを特徴とする基地局装置。
【請求項１２】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置は、前記受信品質比較結果により前記受信品質値が前記所定の閾値より小さいことを示されている時に品質不良信号を生成する品質不良信号生成手段と、前記品質不良信号を前記基地局制御装置に報告する品質不良信号報告手段と、ｐｒｉｍａｒｙＣＰＩＣＨより到達距離が短いｓｅｃｏｎｄａｒｙＣＰＩＣＨを追加して送信する手段と、前記基地局制御装置からの制御信号に基づき前記ｓｅｃｏｎｄａｒｙＣＰＩＣＨを追加して送信する手段と、を具備する無線通信システムにおける前記基地局制御装置であって、
前記品質不良信号を基に前記ｓｅｃｏｎｄａｒｙＣＰＩＣＨを追加して送信するように前記制御信号を前記基地局装置に送信する制御信号送信手段を具備することを特徴とする基地局制御装置。
【請求項１３】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局装置に報告する品質不良判定信号報告手段と、を具備し、前記基地局制御装置は、前記基地局装置からの品質不良信号を基に前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、
前記移動局装置に対しＨＳＤＰＡによるデータの伝送を行う手段と、前記移動局装置に対しＤＰＣＨによるデータの伝送を行う手段と、前記品質不良判定信号を受けていることを検出して品質不良信号を生成する品質不良判定検出手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段を具備することを特徴とする基地局装置。
【請求項１４】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局装置に報告する品質不良判定信号報告手段と、を具備し、前記基地局装置は、前記移動局装置に対しＨＳＤＰＡによるデータの伝送を行う手段と、前記移動局装置に対しＤＰＣＨによるデータの伝送を行う手段と、前記品質不良判定信号を受けていることを検出して品質不良信号を生成する品質不良判定検出手段と、前記品質不良信号を前記基地局制御装置に報告する、品質不良信号報告手段と、前記基地局制御装置からの制御信号に基づき前記移動局装置に対するデータの伝送をＨＳＤＰＡからＤＰＣＨに切り替える手段を具備する無線通信システムにおける前記基地局制御装置であって、
前記基地局装置からの前記品質不良信号を基に前記移動局装置に対するデータ伝送をＨＳＤＰＡからＤＰＣＨに切り替えるように前記基地局装置に制御信号を送信する制御信号送信手段を具備することを特徴とする基地局制御装置。
【請求項１５】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局制御装置は、単位時間当たりの前記品質不良信号の生成回数である品質不良信号生成回数を計測し前記品質不良信号生成回数が所定の回数以上である時に前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、
前記移動局装置に対しＨＳＤＰＡによるデータの伝送を行う手段と、ＤＰＣＨによるデータの伝送を行う手段と、前記受信品質値と所定の閾値とを比較して前記受信品質値が前記所定の閾値より小さい時に品質不良信号を生成する品質不良信号生成手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段を具備することを特徴とする基地局装置。
【請求項１６】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局装置は、前記移動局装置に対しＨＳＤＰＡによるデータの伝送を行う手段と、ＤＰＣＨによるデータの伝送を行う手段と、前記受信品質値と所定の閾値とを比較して前記受信品質値が前記所定の閾値より小さい時に品質不良信号を生成する品質不良信号生成手段と、前記品質不良信号を前記基地局制御装置に報告する品質不良信号報告手段と、を具備し、前記基地局装置は、前記基地局制御装置からの制御信号に基づき前記移動局装置に対するデータの伝送をＨＳＤＰＡからＤＰＣＨに切り替える手段を具備する無線通信システムにおける前記基地局制御装置であって、
単位時間当たりの前記品質不良信号の生成回数である品質不良信号生成回数を計測し前記品質不良信号生成回数が所定の回数以上である時に前記移動局装置に対するデータ伝送をＨＳＤＰＡからＤＰＣＨに切り替えるように前記基地局装置に前記制御信号を送信する制御信号送信手段を具備することを特徴とする基地局制御装置。
【請求項１７】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局制御装置は、前記基地局装置からの品質不良判定信号に基づき前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、
前記移動局装置に対しＨＳＤＰＡによるデータの伝送を行う手段と、ＤＰＣＨによるデータの伝送を行う手段と前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局制御装置に報告する品質不良判定信号報告手段と、前記基地局制御装置からの前記制御信号に基づき前記移動局装置に対するデータの伝送をＨＳＤＰＡからＤＰＣＨに切り替える手段を具備することを特徴とする基地局装置。
【請求項１８】
移動局装置と、前記移動局装置と無線によるデータの送受信を行う基地局装置と、前記基地局装置を制御する基地局制御装置と、を具備し、前記移動局装置は、前記基地局装置から送信される送信信号の受信品質値を検出する受信品質値検出手段と、前記受信品質値を前記基地局装置に報告する受信品質値報告手段と、を具備し、前記基地局装置は、前記移動局装置に対しＨＳＤＰＡによるデータの伝送を行う手段と、ＤＰＣＨによるデータの伝送を行う手段と前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局制御装置に報告する品質不良判定信号報告手段と、前記基地局制御装置からの制御信号に基づき前記移動局装置に対するデータの伝送をＨＳＤＰＡからＤＰＣＨに切り替える手段を具備する無線通信システムにおける前記基地局制御装置であって、
前記品質不良判定信号に基づき前記移動局装置に対するデータ伝送をＨＳＤＰＡからＤＰＣＨに切り替えるように前記基地局装置に前記制御信号を送信する制御信号送信手段を具備することを特徴とする基地局制御装置。
【発明の詳細な説明】
【０００１】
【発明の属する技術分野】
本発明は、移動局装置と基地局装置と基地局制御装置とを具備し、適応変調方式を用いる無線通信システムに関する。
【０００２】
【従来の技術】
従来、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式を用いる無線通信システムにおいては、ＨＳＤＰＡ（Ｈｉｇｈ  Ｓｐｅｅｄ    Ｄｏｗｎｌｉｎｋ    Ｐａｃｋｅｔ    Ａｃｃｅｓｓ）と呼ばれるパケットの拡張を行う技術の標準化を進めている。この無線通信システムでは、従来のＷＣＤＭＡでのチャネルであるＤＰＣＨ（Ｄｅｄｉｃａｔｅｄ    ｄｏｗｎｌｉｎｋ    Ｐｈｙｓｉｃａｌ    ｃｈａｎｎｅｌｓ）といったチャネルの通信を行いながら、同時に並列に下りでＨＳＤＳＣＨチャネル（Ｈｉｇｈ  Ｓｐｅｅｄ  Ｄｏｗｎｌｉｎｋ  Ｓｈａｒｅｄ  Ｃｈａｎｎｅｌ）と呼ばれる高速なチャネルの受信を行う。
【０００３】
このＨＳＤＳＣＨチャネルにおいては、適応変調方式と呼ばれる伝搬路の状況に応じて変調方式及び符号化率を変える技術が用いられており、各移動局装置はＣＱＩ（Ｃｈａｎｎｅｌ    Ｑｕａｌｉｔｙ  Ｉｎｄｉｃａｔｏｒ）レポートと呼ばれる下りパイロットチャネルの受信状況を報告することで伝搬路の状況を基地局装置に伝える。
【０００４】
図８は、伝搬路の品質を示すＣＱＩ値（Ｖａｌｕｅ）を説明するための図である。図８に示す例は、ＣＱＩ値０〜２１の２２段階のＣＱＩ値を用いた場合の例である。この場合に、移動局装置は、伝搬路の状況が悪いと判断した時に低いＣＱＩ値を基地局装置に報告する。また、移動局装置は、伝搬路の状況が良いと判断した時に高いＣＱＩ値を基地局装置に報告する。なお、ＣＱＩ値０は、基地信号の受信レベルが所定の閾値に達しない値（Ｏｕｔ    ｏｆ    Ｒａｎｇｅ）である時に移動局装置が報告する値である。
【０００５】
基地局装置においては、各移動局装置が報告するＣＱＩ値を基に、送信対象とする移動局装置を決定し、その移動局装置に対して変調方式、多重コード数及び情報ビット数などの制御情報をＨＳ−ＳＣＣＨ（Ｈｉｇｈ  Ｓｐｅｅｄ    Ｓｈａｒｅｄ    Ｃｏｎｔｒｏｌ  Ｃｈａｎｎｅｌ）により通知する。移動局装置は、ＨＳ−ＳＣＣＨを受信して自分宛の送信があるかないかを判断し、自分宛であると判断した時には制御情報で伝達された情報を用いてデータを復調及び復号する。
【０００６】
このような適応変調方式を符号分割多元接続方式に使用する従来の無線通信システムとして、例えば、特許文献１に開示されているように、セルの境界付近の移動局装置に対して送信対象データを複製し、複製された同一データを複数のコードで拡散し多重化して送信するものがある。
【０００７】
【特許文献１】
特開２００２−２３２９４３号公報
【０００８】
【発明が解決しようとする課題】
しかしながら、特許文献１に開示された従来の無線通信システムにおいては、基地局装置は、ＨＳＤＰＡを使用している移動局装置すべてに最低限のスループットを補償する場合にＨＳＤＰＡに対応した移動局装置が基地局装置のカーバーするエリアに広く分布していると、基地局装置から遠い移動局装置にＨＳＤＰＡを割り当てる時間が多くなり、結果としてシステム全体のスループットが低下し、また、セルエッジ付近の移動局装置は自分に割り当たるＨＳＤＰＡの時間帯が少ないにも関わらず定期的にＣＱＩ値を報告せねばならないため基地局装置から遠方であるから電力の無駄が大きいという問題がある。
【０００９】
一方、前記従来の無線通信システムにおいては、データの送信対象となる移動局装置に対して変調方式、情報ビットの長さ及び多重コード数などの制御信号を運ぶ物理チャネルであるＨＳ−ＳＣＣＨは、ＨＳＤＰＡと同様に単一の基地局装置からの送信であるためソフトハンドオーバーがないから基地局装置から遠いセルエッジにいる移動局装置には非常に強い電力で送信しなければならないので、基地局装置はセルエッジに移動局装置に頻繁にＨＳＤＰＡを割り当てる場合に総送信電力に占める制御チャネルの電力が大きいためシステム全体のスループットが悪いという問題がある。
【００１０】
本発明は、かかる点に鑑みてなされたものであり、複数の移動局装置に対するＨＳＤＰＡの割当を制御することにより、システム全体のスループットを向上させることができる無線通信システムを提供することを目的とする。
【００１１】
【課題を解決するための手段】
請求項１に係る本発明の無線通信システムは、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局装置が、前記移動局装置に対しＨＳＤＰＡによるデータの伝送を行う手段と、ＤＰＣＨによるデータの伝送を行う手段と、前記受信品質値が所定の閾値より小さいことを示されている時に品質不良信号を生成する品質不良信号生成手段と、前記品質不良信号を前記基地局制御装置に報告する品質不良信号報告手段とを具備し、前記基地局制御装置が、前記品質不良信号を基に前記移動局装置に対するデータ伝送をＨＳＤＰＡからＤＰＣＨに切り替えるように前記基地局装置に制御信号を送信する制御信号送信手段を具備し、前記基地局装置が、前記制御信号に基づき前記移動局装置に対するデータの伝送をＨＳＤＰＡからＤＰＣＨに切り替える手段を具備する構成を採る。
【００１２】
この構成によれば、受信品質値が所定の閾値以上であることを示されている時に移動局装置に対しＨＳＤＰＡによるデータの伝送を行い、かつ、前記受信品質値が前記所定の閾値より小さいことを示されている時に前記移動局装置に対しＤＰＣＨによるデータの伝送を行うため、基地局装置は割り当てるスループットが低い移動局装置に対するスケジューリングが減少するから、システム全体のスループットを向上させることができ、また、制御信号の送信電力を抑えることができる。
【００１３】
請求項２に係る本発明の無線通信システムは、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置が、前記移動局装置に対しＨＳＤＰＡによるデータの伝送を行う手段と、前記移動局装置に対しＤＰＣＨによるデータの伝送を行う手段と、前記受信品質比較結果により前記受信品質値が前記所定の閾値より小さいことを示されていることを検出して品質不良信号を生成する品質不良検出手段と、前記品質不良信号を前記基地局制御装置に報告する品質不良信号報告手段と、を具備し、前記基地局制御装置が、前記品質不良信号を基に前記移動局装置に対するデータ伝送をＨＳＤＰＡからＤＰＣＨに切り替えるように前記基地局装置に制御信号を送信する制御信号送信手段を具備し、前記基地局装置が、前記制御信号に基づき前記移動局装置に対するデータの伝送をＨＳＤＰＡからＤＰＣＨに切り替える手段を具備する構成を採る。
【００１４】
この構成によれば、基地局制御装置が管理するＨＳＤＰＡ対応の移動局装置のうちセルエッジに近く、かつ、ＨＳＰＤＡを割り当てる回数が比較的少ないと思われる移動局装置又はソフトハンドオーバーによる複数の基地局装置からＤＰＣＨによるデータ伝送を行ったほうが効率が良いと思われるものを外すことが可能となるため、制御負荷を減らすことができるから、システム全体のスループットを向上させることができる。
【００１５】
請求項３に係る本発明の無線通信システムは、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置が、前記受信品質比較結果により前記受信品質値が前記所定の閾値より小さいことを示されている時に品質不良信号を生成する品質不良信号生成手段と、前記品質不良信号を前記基地局制御装置に報告する品質不良信号報告手段と、ｐｒｉｍａｒｙＣＰＩＣＨより到達距離が短いｓｅｃｏｎｄａｒｙＣＰＩＣＨを追加して送信する手段と、を具備し、前記基地局制御装置が、前記品質不良信号を基に前記ｓｅｃｏｎｄａｒｙＣＰＩＣＨを追加して送信するように制御信号を前記基地局装置に送信する制御信号送信手段を具備し、前記基地局装置が、前記制御信号に基づき前記ｓｅｃｏｎｄａｒｙＣＰＩＣＨを追加して送信する手段を具備する構成を採る。
【００１６】
この構成によれば、基地局装置から遠い移動局装置はｓｅｃｏｎｄａｒｙＣＰＩＣＨを受信できないため、その移動局装置は基地局装置のスケジューリングの対象から外すことができるからスケジューラの負荷を減らすことができ、かつ、ＨＳ−ＳＣＣＨの送信電力を抑えることができるので、システム全体のスループットを向上させることができる。
【００１７】
請求項４に係る本発明の無線通信システムは、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局装置に報告する品質不良判定信号報告手段と、を具備し、前記基地局装置が、前記移動局装置に対しＨＳＤＰＡによるデータの伝送を行う手段と、前記移動局装置に対しＤＰＣＨによるデータの伝送を行う手段と、前記品質不良判定信号を受けていることを検出して品質不良信号を生成する品質不良判定検出手段と、前記品質不良信号を前記基地局制御装置に報告する品質不良信号報告手段と、を具備し、前記基地局制御装置が、前記品質不良信号を基に前記移動局装置に対するデータ伝送をＨＳＤＰＡからＤＰＣＨに切り替えるように前記基地局装置に制御信号を送信する制御信号送信手段を具備し、前記基地局装置が、前記制御信号に基づき前記移動局装置に対するデータの伝送をＨＳＤＰＡからＤＰＣＨに切り替える手段を具備する構成を採る。
【００１８】
この構成によれば、基地局制御装置は移動局装置がＨＳＤＰＡの非対応機であるとの通知を受けるため、送信するデータがある場合にはＤＰＣＨ上で送信がなされ移動局装置はデータを受け取ることができ、かつ、無駄な受信品質値の送信を抑制することができるため基地局スケジューラの負荷も減少するから、システム全体のスループットを向上させることができる。
【００１９】
請求項５に係る本発明の無線通信システムは、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局装置が、前記移動局装置に対しＨＳＤＰＡによるデータの伝送を行う手段と、ＤＰＣＨによるデータの伝送を行う手段と、前記受信品質値と所定の閾値とを比較して前記受信品質値が前記所定の閾値より小さい時に品質不良信号を生成する品質不良信号生成手段と、前記品質不良信号を前記基地局制御装置に報告する品質不良信号報告手段と、を具備し、前記基地局制御装置が、単位時間当たりの前記品質不良信号の生成回数である品質不良信号生成回数を計測し前記品質不良信号生成回数が所定の回数以上である時に前記移動局装置に対するデータ伝送をＨＳＤＰＡからＤＰＣＨに切り替えるように前記基地局装置に制御信号を送信する制御信号送信手段を具備し、前記基地局装置が、前記制御信号に基づき前記移動局装置に対するデータの伝送をＨＳＤＰＡからＤＰＣＨに切り替える手段を具備する構成を採る。
【００２０】
この構成によれば、基地局制御装置はＨＳＤＰＡによるデータ送信の効率が良くない移動局装置を特定できるため、その移動局装置には一時的にＨＳＤＰＡによるデータ伝送に替えてＤＰＣＨによるデータの伝送に切り替えるように制御ができるから、システム全体のスループットを向上させることができる。
【００２１】
請求項６に係る本発明の無線通信システムは、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局装置が、前記移動局装置に対しＨＳＤＰＡによるデータの伝送を行う手段と、ＤＰＣＨによるデータの伝送を行う手段と前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局制御装置に報告する品質不良判定信号報告手段と、を具備し、前記基地局制御装置が、前記品質不良判定信号に基づき前記移動局装置に対するデータ伝送をＨＳＤＰＡからＤＰＣＨに切り替えるように前記基地局装置に制御信号を送信する制御信号送信手段を具備し、前記基地局装置が、前記制御信号に基づき前記移動局装置に対するデータの伝送をＨＳＤＰＡからＤＰＣＨに切り替える手段を具備する構成を採る。
【００２２】
この構成によれば、基地局制御装置は移動局装置に対してＨＳＤＰＡを割り当てることができないと認識するため、データ送信をＤＰＣＨに切り替えることができるから、システム全体のスループットを向上させることができる。
【００２３】
請求項７に係る本発明の基地局装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局制御装置が、品質不良信号を基に前記移動局装置に対するデータ伝送をＨＳＤＰＡからＤＰＣＨに切り替えるように前記基地局装置に前記制御信号を送信する制御信号送信手段を具備する無線通信システムにおける前記基地局装置であって、前記移動局装置に対しＨＳＤＰＡによるデータの伝送を行う手段と、ＤＰＣＨによるデータの伝送を行う手段と、前記受信品質値が所定の閾値より小さいことを示されている時に前記品質不良信号を生成する品質不良信号生成手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段と、を具備する構成を採る。
【００２４】
この構成によれば、受信品質値が所定の閾値以上であることを示されている時に移動局装置に対しＨＳＤＰＡによるデータの伝送を行い、かつ、前記受信品質値が前記所定の閾値より小さいことを示されている時に前記移動局装置に対しＤＰＣＨによるデータの伝送を行うため、基地局装置は割り当てるスループットが低い移動局装置に対するスケジューリングが減少するから、システム全体のスループットを向上させることができ、また、制御信号の送信電力を抑えることができる。
【００２５】
請求項８に係る本発明の基地局制御装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局装置が、前記移動局装置に対しＨＳＤＰＡによるデータの伝送を行う手段と、ＤＰＣＨによるデータの伝送を行う手段と、前記受信品質値が所定の閾値より小さいことを示されている時に品質不良信号を生成する品質不良信号生成手段と、前記品質不良信号を前記基地局制御装置に報告する品質不良信号報告手段と、前記基地局制御装置からの制御信号に基づき前記移動局装置に対するデータの伝送をＨＳＤＰＡからＤＰＣＨに切り替える手段と、を具備する無線通信システムにおける前記基地局制御装置であって、前記品質不良信号を基に前記移動局装置に対するデータ伝送をＨＳＤＰＡからＤＰＣＨに切り替えるように前記基地局装置に前記制御信号を送信する制御信号送信手段を具備する構成を採る。
【００２６】
この構成によれば、受信品質値が所定の閾値以上であることを示されている時に移動局装置に対しＨＳＤＰＡによるデータの伝送を行い、かつ、前記受信品質値が前記所定の閾値より小さいことを示されている時に前記移動局装置に対しＤＰＣＨによるデータの伝送を行うため、基地局装置は割り当てるスループットが低い移動局装置に対するスケジューリングが減少するから、システム全体のスループットを向上させることができ、また、制御信号の送信電力を抑えることができる。
【００２７】
請求項９に係る本発明の基地局装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局制御装置が、前記基地局装置からの品質不良信号を基に前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、前記移動局装置に対しＨＳＤＰＡによるデータの伝送を行う手段と、前記移動局装置に対しＤＰＣＨによるデータの伝送を行う手段と、前記受信品質比較結果により前記受信品質値が前記所定の閾値より小さいことを示されていることを検出して前記品質不良信号を生成する品質不良検出手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段と、を具備する構成を採る。
【００２８】
この構成によれば、基地局制御装置が管理するＨＳＤＰＡ対応の移動局装置のうちセルエッジに近く、かつ、ＨＳＰＤＡを割り当てる回数が比較的少ないと思われる移動局装置又はソフトハンドオーバーによる複数の基地局装置からＤＰＣＨによるデータ伝送を行ったほうが効率が良いと思われるものを外すことが可能となるため、制御負荷を減らすことができるから、システム全体のスループットを向上させることができる。
【００２９】
請求項１０に係る本発明の基地局制御装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置が、前記移動局装置に対しＨＳＤＰＡによるデータの伝送を行う手段と、前記移動局装置に対しＤＰＣＨによるデータの伝送を行う手段と、前記受信品質比較結果により前記受信品質値が前記所定の閾値より小さいことを示されていることを検出して品質不良信号を生成する品質不良検出手段と、前記品質不良信号を前記基地局制御装置に報告する品質不良信号報告手段と、前記基地局制御装置からの制御信号に基づき前記移動局装置に対するデータの伝送をＨＳＤＰＡからＤＰＣＨに切り替える手段を具備する無線通信システムにおける前記基地局制御装置であって、前記品質不良信号を基に前記移動局装置に対するデータ伝送をＨＳＤＰＡからＤＰＣＨに切り替えるように前記基地局装置に前記制御信号を送信する制御信号送信手段を具備する構成を採る。
【００３０】
この構成によれば、基地局制御装置が管理するＨＳＤＰＡ対応の移動局装置のうちセルエッジに近く、かつ、ＨＳＰＤＡを割り当てる回数が比較的少ないと思われる移動局装置又はソフトハンドオーバーによる複数の基地局装置からＤＰＣＨによるデータ伝送を行ったほうが効率が良いと思われるものを外すことが可能となるため、制御負荷を減らすことができるから、システム全体のスループットを向上させることができる。
【００３１】
請求項１１に係る本発明の基地局装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局制御装置が、前記基地局装置からの品質不良信号を基に前記ｓｅｃｏｎｄａｒｙＣＰＩＣＨを追加して送信するように制御信号を前記基地局装置に送信する制御信号送信手段を具備する無線通信システムにおける前記基地局装置であって、前記受信品質比較結果により前記受信品質値が前記所定の閾値より小さいことを示されている時に前記品質不良信号を生成する品質不良信号生成手段と、前記品質不良信号を前記基地局制御装置に報告する品質不良信号報告手段と、ｐｒｉｍａｒｙＣＰＩＣＨより到達距離が短いｓｅｃｏｎｄａｒｙＣＰＩＣＨを追加して送信する手段と、前記基地局制御装置からの前記制御信号に基づき前記ｓｅｃｏｎｄａｒｙＣＰＩＣＨを追加して送信する手段と、を具備する構成を採る。
【００３２】
この構成によれば、基地局装置から遠い移動局装置はｓｅｃｏｎｄａｒｙＣＰＩＣＨを受信できないため、その移動局装置は基地局装置のスケジューリングの対象から外すことができるからスケジューラの負荷を減らすことができ、かつ、ＨＳ−ＳＣＣＨの送信電力を抑えることができるので、システム全体のスループットを向上させることができる。
【００３３】
請求項１２に係る本発明の基地局制御装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して受信品質比較結果を生成する受信品質比較手段と、前記受信品質比較結果を前記基地局装置に報告する受信品質比較結果報告手段と、を具備し、前記基地局装置が、前記受信品質比較結果により前記受信品質値が前記所定の閾値より小さいことを示されている時に品質不良信号を生成する品質不良信号生成手段と、前記品質不良信号を前記基地局制御装置に報告する品質不良信号報告手段と、ｐｒｉｍａｒｙＣＰＩＣＨより到達距離が短いｓｅｃｏｎｄａｒｙＣＰＩＣＨを追加して送信する手段と、前記基地局制御装置からの制御信号に基づき前記ｓｅｃｏｎｄａｒｙＣＰＩＣＨを追加して送信する手段と、を具備する無線通信システムにおける前記基地局制御装置であって、前記品質不良信号を基に前記ｓｅｃｏｎｄａｒｙＣＰＩＣＨを追加して送信するように前記制御信号を前記基地局装置に送信する制御信号送信手段を具備する構成を採る。
【００３４】
この構成によれば、基地局装置から遠い移動局装置はｓｅｃｏｎｄａｒｙＣＰＩＣＨを受信できないため、その移動局装置は基地局装置のスケジューリングの対象から外すことができるからスケジューラの負荷を減らすことができ、かつ、ＨＳ−ＳＣＣＨの送信電力を抑えることができるので、システム全体のスループットを向上させることができる。
【００３５】
請求項１３に係る本発明の基地局装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局装置に報告する品質不良判定信号報告手段と、を具備し、前記基地局制御装置が、前記基地局装置からの品質不良信号を基に前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、前記移動局装置に対しＨＳＤＰＡによるデータの伝送を行う手段と、前記移動局装置に対しＤＰＣＨによるデータの伝送を行う手段と、前記品質不良判定信号を受けていることを検出して品質不良信号を生成する品質不良判定検出手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段を具備する構成を採る。
【００３６】
この構成によれば、基地局制御装置は移動局装置がＨＳＤＰＡの非対応機であるとの通知を受けるため、送信するデータがある場合にはＤＰＣＨ上で送信がなされ移動局装置はデータを受け取ることができ、かつ、無駄な受信品質値の送信を抑制することができるため基地局スケジューラの負荷も減少するから、システム全体のスループットを向上させることができる。
【００３７】
請求項１４に係る本発明の基地局制御装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局装置に報告する品質不良判定信号報告手段と、を具備し、前記基地局装置が、前記移動局装置に対しＨＳＤＰＡによるデータの伝送を行う手段と、前記移動局装置に対しＤＰＣＨによるデータの伝送を行う手段と、前記品質不良判定信号を受けていることを検出して品質不良信号を生成する品質不良判定検出手段と、前記品質不良信号を前記基地局制御装置に報告する、品質不良信号報告手段と、前記基地局制御装置からの制御信号に基づき前記移動局装置に対するデータの伝送をＨＳＤＰＡからＤＰＣＨに切り替える手段を具備する無線通信システムにおける前記基地局制御装置であって、前記基地局装置からの前記品質不良信号を基に前記移動局装置に対するデータ伝送をＨＳＤＰＡからＤＰＣＨに切り替えるように前記基地局装置に制御信号を送信する制御信号送信手段を具備する構成を採る。
【００３８】
この構成によれば、基地局制御装置は移動局装置がＨＳＤＰＡの非対応機であるとの通知を受けるため、送信するデータがある場合にはＤＰＣＨ上で送信がなされ移動局装置はデータを受け取ることができ、かつ、無駄な受信品質値の送信を抑制することができるため基地局スケジューラの負荷も減少するから、システム全体のスループットを向上させることができる。
【００３９】
請求項１５に係る本発明の基地局装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局制御装置が、単位時間当たりの前記品質不良信号の生成回数である品質不良信号生成回数を計測し前記品質不良信号生成回数が所定の回数以上である時に前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、前記移動局装置に対しＨＳＤＰＡによるデータの伝送を行う手段と、ＤＰＣＨによるデータの伝送を行う手段と、前記受信品質値と所定の閾値とを比較して前記受信品質値が前記所定の閾値より小さい時に品質不良信号を生成する品質不良信号生成手段と、前記品質不良信号を前記基地局制御装置に報告する品質不良信号報告手段と、前記基地局制御装置からの前記制御信号に基づき前記移動局装置に対するデータの伝送をＨＳＤＰＡからＤＰＣＨに切り替える手段を具備する構成を採る。
【００４０】
この構成によれば、基地局制御装置はＨＳＤＰＡによるデータ送信の効率が良くない移動局装置を特定できるため、その移動局装置には一時的にＨＳＤＰＡによるデータ伝送に替えてＤＰＣＨによるデータの伝送に切り替えるように制御ができるから、システム全体のスループットを向上させることができる。
【００４１】
請求項１６に係る本発明の基地局制御装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局装置が、前記移動局装置に対しＨＳＤＰＡによるデータの伝送を行う手段と、ＤＰＣＨによるデータの伝送を行う手段と、前記受信品質値と所定の閾値とを比較して前記受信品質値が前記所定の閾値より小さい時に品質不良信号を生成する品質不良信号生成手段と、前記品質不良信号を前記基地局制御装置に報告する品質不良信号報告手段と、を具備し、前記基地局装置は、前記基地局制御装置からの制御信号に基づき前記移動局装置に対するデータの伝送をＨＳＤＰＡからＤＰＣＨに切り替える手段を具備する無線通信システムにおける前記基地局制御装置であって、単位時間当たりの前記品質不良信号の生成回数である品質不良信号生成回数を計測し前記品質不良信号生成回数が所定の回数以上である時に前記移動局装置に対するデータ伝送をＨＳＤＰＡからＤＰＣＨに切り替えるように前記基地局装置に前記制御信号を送信する制御信号送信手段を具備する構成を採る。
【００４２】
この構成によれば、基地局制御装置はＨＳＤＰＡによるデータ送信の効率が良くない移動局装置を特定できるため、その移動局装置には一時的にＨＳＤＰＡによるデータ伝送に替えてＤＰＣＨによるデータの伝送に切り替えるように制御ができるから、システム全体のスループットを向上させることができる。
【００４３】
請求項１７に係る本発明の基地局装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局制御装置が、前記基地局装置からの品質不良判定信号に基づき前記移動局装置に対するデータ伝送をＨＳＤＰＡからＤＰＣＨに切り替えるように前記基地局装置に制御信号を送信する制御信号送信手段を具備する無線通信システムにおける前記基地局装置であって、前記移動局装置に対しＨＳＤＰＡによるデータの伝送を行う手段と、ＤＰＣＨによるデータの伝送を行う手段と前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局制御装置に報告する品質不良判定信号報告手段と、前記基地局制御装置からの前記制御信号に基づき前記移動局装置に対するデータの伝送をＨＳＤＰＡからＤＰＣＨに切り替える手段を具備する構成を採る。
【００４４】
この構成によれば、基地局制御装置は移動局装置に対してＨＳＤＰＡを割り当てることができないと認識するため、データ送信をＤＰＣＨに切り替えることができるから、システム全体のスループットを向上させることができる。
【００４５】
請求項１８に係る本発明の基地局制御装置は、移動局装置と、前記移動局装置と無線によるデータの送受信を行う基地局装置と、前記基地局装置を制御する基地局制御装置と、を具備し、前記移動局装置が、前記基地局装置から送信される送信信号の受信品質値を検出する受信品質値検出手段と、前記受信品質値を前記基地局装置に報告する受信品質値報告手段と、を具備し、前記基地局装置が、前記移動局装置に対しＨＳＤＰＡによるデータの伝送を行う手段と、ＤＰＣＨによるデータの伝送を行う手段と前記受信品質値と所定の閾値とを比較して前記受信品質値が前記所定の閾値より小さい時に品質不良信号を生成する品質不良信号生成手段と、単位時間当たりの前記品質不良信号の生成回数である品質不良信号生成回数を計測し前記品質不良信号生成回数が所定の回数以上である時に品質不良判定信号を生成して前記基地局制御装置に報告する品質不良判定信号報告手段と、前記基地局制御装置からの制御信号に基づき前記移動局装置に対するデータの伝送をＨＳＤＰＡからＤＰＣＨに切り替える手段を具備する無線通信システムにおける前記基地局制御装置であって、前記品質不良判定信号に基づき前記移動局装置に対するデータ伝送をＨＳＤＰＡからＤＰＣＨに切り替えるように前記基地局装置に前記制御信号を送信する制御信号送信手段を具備する構成を採る。
【００４６】
この構成によれば、基地局制御装置は移動局装置に対してＨＳＤＰＡを割り当てることができないと認識するため、データ送信をＤＰＣＨに切り替えることができるから、システム全体のスループットを向上させることができる。
【００４７】
【発明の実施の形態】
本発明の骨子は、受信品質値が所定の閾値以上であることを示されている時に移動局装置に対しＨＳＤＰＡ（Ｈｉｇｈ  Ｓｐｅｅｄ    Ｄｏｗｎｌｉｎｋ    Ｐａｃｋｅｔ    Ａｃｃｅｓｓ）によるデータの伝送を行い、かつ、前記受信品質値が前記所定の閾値より小さいことを示されている時に前記移動局装置に対しＤＰＣＨ（Ｄｅｄｉｃａｔｅｄ    Ｐｈｙｓｉｃａｌ    Ｃｈａｎｎｅｌ）によるデータの伝送を行うことである。
【００４８】
以下、本発明の実施の形態について、図面を用いて説明する。
【００４９】
（実施の形態１）
図１は、本発明の実施の形態１に係る無線通信システムを示すブロック図である。図２は、本発明の実施の形態１に係る無線通信システムの動作の１例を説明するための図である。
【００５０】
図１に示すように、本発明の実施の形態１に係る無線通信システム１００は、複数の移動局装置１０１−１〜１０１−Ｎと、これらの移動局装置１０１−１〜１０１−Ｎと無線によるデータの送受信を行う基地局装置１０２−１〜１０２−Ｎと、これらの基地局装置１０２−１〜１０２−Ｎに接続されこれらの基地局装置１０２−１〜１０２−Ｎを制御する基地局制御装置１０３と、を具備している。
【００５１】
移動局装置１０１−１〜１０１−Ｎの各々は、受信品質値検出部１０１１及び受信品質値報告部１０１２を具備している。受信品質値報告部１０１２の入力端子は、受信品質値検出部１０１１の出力端子に接続されている。受信品質値検出部１０１１は、基地局装置１０２から送信される送信信号の受信品質値｛例えば、ＣＱＩ値（Ｃｈａｎｎｅｌ    Ｑｕａｌｉｔｙ  Ｉｎｄｉｃａｔｏｒ）｝を検出して受信品質値報告部１０１２に与える。なお、移動局装置１０１−１〜１０１−Ｎの各々は、ＨＳＤＰＡによるデータの伝送を受ける基地局装置を予め知っており、該当する１つの基地局装置の受信品質のみを検出して報告する。受信品質値報告部１０１２は、受信品質値検出部１０１１から受信品質値を受けて移動局装置１０１−１〜１０１−Ｎの各々がＨＳＤＰＡの対象とする基地局装置１０２−１〜１０２−Ｎに無線で報告する。
【００５２】
基地局装置１０２−１〜１０２−Ｎの各々は、品質不良信号生成部１０２１、第１のデータ伝送部１０２２及び第２のデータ伝送部１０２３、品質不良信号報告部１０２４、制御部１０２５を具備している。制御部１０２５は、第１のデータ伝送部１０２２及び第２のデータ伝送部１０２３に接続されている。基地局制御装置１０３は、制御信号送信部１０３１を具備している。
【００５３】
品質不良信号生成部１０２１は、受信品質値報告部１０１２からの受信品質値を受けて受信品質値と所定の閾値とを比較して前記受信品質値が所定の閾値より小さいことを示されている時に、品質不良信号を生成し品質不良信号報告部１０２４に与える。品質不良信号報告部１０２４は基地局制御装置１０３に品質不良信号と該当する移動局装置の識別子を報告する。
【００５４】
基地局制御装置１０３において、制御信号送信部１０３１は品質不良信号報告部１０２４からの品質不良信号を受けると、該当する移動局装置に対するデータ伝送方法をＨＳＤＰＡからＤＰＣＨに切り替えるよう制御信号を生成して、該当する移動局装置にＨＳＤＰＡ伝送を行っている基地局装置１０２に報告する。
【００５５】
第１のデータ伝送部１０２２は、制御部１０２５でＨＳＤＰＡによるデータの伝送を行うように指示されている移動局装置のなかのいずれかに対しＨＳＤＰＡによるデータの伝送を行う。なお、このときＨＳＤＰＡによるデータの伝送は、同時に複数の移動局装置に対しておこなっても良い。
【００５６】
第２のデータ伝送部１０２３は、制御部１０２５がＤＰＣＨによるデータの伝送を指示している移動局装置に対してＤＰＣＨによるデータの伝送を行う。
【００５７】
なお、基地局装置１０２−１〜１０２−Ｎから送信される送信信号の受信品質値としては、ＣＱＩ値以外に、移動局装置１０１−１〜１０１−Ｎが報告する常時送信信号ＣＰＩＣＨの受信信号電力を示すＲＳＣＰ（Ｒｅｃｅｉｖｅｄ  Ｓｉｇｎａｌ  Ｃｏｄｅ  Ｐｏｗｅｒ）又は移動局装置１０１−１〜１０１−Ｎが報告するＣＱＩ値の一定期間の検出値を用いてもよい。
【００５８】
次に、本発明の実施の形態１に係る無線通信システムの動作の１例を図１と共に図２を参照して説明する。
【００５９】
図２において、基地局装置１０２−１、１０２−２は、それぞれがカバーするセル１０２−１Ｓ、１０２−２Ｓを有している。移動局装置１０１−１、１０１−２の各々は、図示した位置に配置されているとし、ＨＳＤＰＡによるデータの伝送がある場合には前記基地局装置１０２−１より伝送されることが予め通知されているものとする。そして、移動局装置１０１−１は、セル１０２−１Ｓのエッジに位置し、ソフトハンドオーバー状態であるとする。セル１０２−１Ｓのエッジに位置する移動局装置１０１−１が基地局装置１０２−１から送信される送信信号の受信品質値を検出して前記受信品質値を報告する時における当該受信品質値は、一般的に前記所定の閾値より小さい。
【００６０】
基地局装置１０２−１は、品質不良信号生成部１０２１において受信品質値が前記所定の閾値より小さいことを示されている時に、基地局制御装置１０３に対して移動局装置１０１−１が、品質不良であること通知する。通知を受けた基地局制御装置１０３は、移動局装置１０１−１に対するＨＳＤＰＡによるデータの伝送に変えてＤＰＣＨによるデータの伝送を行うように基地局装置２−１、１０２−２の各々に通知を行う。
【００６１】
基地局装置１０２−１の第１のデータ伝送部１０２２は、ＨＳＤＰＡによるデータ伝送の対象から移動局１０１−１を除いて、他の移動局装置のいずれか、例えば、移動局装置１０１−２に対しＨＳＤＰＡによるデータの伝送を行う。
【００６２】
また、基地局装置１０２−１、１０２−２の第２のデータ伝送部１０２３は、移動局装置１０１−１に対しＤＰＣＨによるデータの伝送を行う。
【００６３】
このように、本発明の実施の形態１においては、基地局制御装置がセルのエッジに位置すると思われる移動局装置に対してＨＳＤＰＡの送信対象候補からはずすことができるため、スループットが低いと考えられる移動局装置に対するスケジューリングを減らすことができるから、システムのスループットを向上させることができる。また、本発明の実施の形態１においては、制御を必要をする移動局装置の数を削減することができるから、基地局装置は制御信号として送信するＨＳ−ＳＣＣＨの送信電力を削減することができる。
【００６４】
（実施の形態２）
次に、本発明の実施の形態２について、図面を参照して詳細に説明する。
【００６５】
図３は、本発明の実施の形態２に係る無線通信システムを示すブロック図である。本発明の実施の形態２においては、発明の実施の形態１と同じ構成要素には同じ参照符号が付されて、その説明が省略される。
【００６６】
図３に示すように、本発明の実施の形態２に係る無線通信システム３００は、複数の移動局装置３０１−１〜３０１−Ｎと、これらの移動局装置３０１−１〜３０１−Ｎと無線によるデータの送受信を行う基地局装置３０２−１〜３０２−Ｎと、これらの基地局装置３０２−１〜３０２−Ｎに接続されこれらの基地局装置３０２−１〜３０２−Ｎを制御する基地局制御装置１０３と、を具備している。
【００６７】
移動局装置３０１−１〜３０１−Ｎの各々は、受信品質値検出部１０１１、受信品質比較部３０１１及び受信品質比較結果報告部３０１２を具備している。
【００６８】
受信品質比較部３０１１の入力端子は、受信品質値検出部１０１１の出力端子に接続されている。受信品質比較結果報告部３０１２の入力端子は、受信品質比較部３０１１の出力端子に接続されている。
【００６９】
受信品質値検出部１０１１は、基地局装置３０２から送信される送信信号の受信品質値を検出して受信品質比較部３０１１に与える。受信品質比較部３０１１は、受信品質値検出部１０１１からの受信品質値と所定の閾値とを比較して受信品質比較結果を生成して受信品質比較結果報告部３０１２に与える。受信品質比較結果報告部３０１２は、受信品質比較部３０１１からの受信品質比較結果を受けて各々の移動局装置がＨＳＤＰＡによるデータ伝送を受ける基地局装置３０２−１〜３０２−Ｎに無線で報告する。
【００７０】
基地局装置３０２−１〜３０２−Ｎの各々は、品質不良検出部３０２１、第１のデータ伝送部１０２２、第２のデータ伝送部１０２３、品質不良信号報告部１０２４、制御部１０２５を具備している。制御部１０２５は、第１のデータ伝送部１０２２及び第２のデータ伝送部１０２３に接続されている。基地局制御装置１０３は、制御信号送信部１０３１を具備している。品質不良検出部３０２１は、前記受信品質比較結果により前記受信品質値が前記所定の閾値より小さいことを示されていることを検出して品質不良信号を生成して品質不良信号報告部１０２４に与える。基地局制御装置１０３において、制御信号送信部１０３１は、品質不良信号報告部１０２４から報告された品質不良信号に該当する移動局装置に対するデータ伝送をＨＳＤＰＡからＤＰＣＨに切り替えるよう制御信号を生成して該当する移動局装置にＨＳＤＰＡ伝送を行っている基地局装置３０２の制御部１０２５に報告する。
【００７１】
次に、本発明の実施の形態２に係る無線通信システムの動作の具体例を説明する。ここでは、移動局装置３０１−１がＨＳＤＰＡによるデータの伝送を受ける対象となる基地局装置が基地局装置３０２−１であるとして説明する。
【００７２】
移動局装置３０１−１は、基地局装置３０２−１から常時送信される既知信号ＰｒｉｍａｒｙＣＰＩＣＨ（Ｃｏｍｍｏｎ  Ｐｉｌｏｔ    Ｃｈａｎｎｅｌ）の受信信号電力を求める。また、基地局装置３０２−１は、既知信号電力を現在どれぐらいの送信電力（ＴｘＰｏｗｅｒ）で送信しているかを報知情報として移動局装置３０１−１に通知する。
【００７３】
移動局装置３０１−１は、報知情報とＰｒｉｍａｒｙＣＰＩＣＨのＲＳＣＰ（Ｒｅｃｅｉｖｅｄ  Ｓｉｇｎａｌ  Ｃｏｄｅ  Ｐｏｗｅｒ）から基地局装置３０２−１の電力の減衰度合いを計算する。この計算結果が一定の閾値を満たしていると判断されない時には移動局装置３０１−１がＨＳＤＰＡによる割り当て確率が非常に少ないと判断し、一時的にＨＳＤＰＡによるデータ伝送を行わない非対応信号を基地局装置３０２−１を介して基地局制御装置１０３に送る。
【００７４】
この非対応信号を受けた基地局制御装置１０３は、当該非対応信号を報告している移動局装置がＨＳＤＰＡに対応していないものであると認識し、ＨＳＤＰＡの割り当て対象候補から外し、データの送信をＤＰＣＨで行うよう制御する。
【００７５】
一方、前記計算結果が一定の閾値を満たしていると判断された場合には、移動局装置３０１−１は、ＨＳＤＰＡによるデータ伝送が期待できるものとしてＨＳＤＰＡに対応するものとしてＣＱＩ値の報告を継続する。
【００７６】
このように、本発明の実施の形態２においては、移動局装置３０１−１〜３０１−Ｎの各々がＨＳＤＰＡの送信対象候補としてＣＱＩ値を報告しつづけても高いスループットが期待できないと判断した時には、基地局制御装置１０３に対して一時的にＨＳＤＰＡの非対応端末装置として振る舞うことによりＤＰＣＨによるデータ伝送を行ってもらうことが可能となっている。また、これにより高いスループットが割り当てる確率の低い移動局装置３０１−１〜３０１−Ｎがスケジューリング対象から外れるため基地局装置３０２−１〜３０２−Ｎがより伝搬路特性の良い移動局装置にのみＨＳＤＰＡを割り当てることが可能となるためシステムスループットが増加する。
【００７７】
すなわち、本発明の実施の形態２においては、基地局制御装置が管理するＨＳＤＰＡ対応の移動局装置のうちセルエッジに近く、かつ、ＨＳＰＤＡを割り当てる回数が比較的少ないと思われる移動局装置又はソフトハンドオーバーによる複数の基地局装置からＤＰＣＨによるデータ伝送を行ったほうが効率が良いと思われるものを外すことが可能となるため、制御負荷を減らすことができるから、システム全体のスループットを向上させることができる。
【００７８】
（実施の形態３）
次に、本発明の実施の形態３について、図面を参照して詳細に説明する。
【００７９】
図４は、本発明の実施の形態３に係る無線通信システムを示すブロック図である。本発明の実施の形態３においては、発明の実施の形態１、２と同じ構成要素には同じ参照符号が付されて、その説明が省略される。
【００８０】
図４に示すように、本発明の実施の形態３に係る無線通信システム４００は、複数の移動局装置３０１−１〜３０１−Ｎと、これらの移動局装置３０１−１〜３０１−Ｎと無線によるデータの送受信を行う基地局装置４０２−１〜４０２−Ｎと、これらの基地局装置４０２−１〜４０２−Ｎに接続されこれらの基地局装置４０２−１〜４０２−Ｎを制御する基地局制御装置４０３と、を具備している。
【００８１】
移動局装置３０１−１〜３０１−Ｎの各々は、受信品質値検出部１０１１、受信品質比較部３０１１及び受信品質比較結果報告部３０１２を具備している。
【００８２】
基地局装置４０２−１〜４０２−Ｎの各々は、第１の送信部４０２１及び第２の送信部４０２２、第２の制御部４０２３を具備している。
【００８３】
第１の送信部４０２１は、常時ｐｒｉｍａｒｙＣＰＩＣＨを送信する。基地局制御装置４０３においては、第２の制御信号送信部４０３１は、品質不良信号報告部１０２４より品質不良信号が多く報告された時に、移動局装置が測定する受信品質値の対象となる信号をＰｒｉｍａｒｙ  ＣＰＩＣＨからｓｅｃｏｎｄａｒｙＣＰＩＣＨに切り替えるように制御信号を生成して基地局装置内の第２の制御部４０２３を介して移動局装置３０１−１〜３０１−Ｎに通知する。
【００８４】
また第２の送信部４０２２は、基地局制御装置４０３より第２の制御部４０２３を介して通知されると、ｐｒｉｍａｒｙＣＰＩＣＨより到達距離が短いｓｅｃｏｎｄａｒｙＣＰＩＣＨを追加して送信する。
【００８５】
このように、本発明の実施の形態３においては、基地局装置から遠い移動局装置はｓｅｃｏｎｄａｒｙＣＰＩＣＨを受信できないため、その移動局装置は基地局装置のスケジューリングの対象から外すことができるからスケジューラの負荷を減らすことができ、かつ、ＨＳ−ＳＣＣＨの送信電力を抑えることができるので、システム全体のスループットを向上させることができる。
【００８６】
（実施の形態４）
次に、本発明の実施の形態４について、図面を参照して詳細に説明する。
【００８７】
図５は、本発明の実施の形態４に係る無線通信システムを示すブロック図である。本発明の実施の形態４においては、発明の実施の形態１と同じ構成要素には同じ参照符号が付されて、その説明が省略される。
【００８８】
図５に示すように、本発明の実施の形態４に係る無線通信システム５００は、複数の移動局装置５０１−１〜５０１−Ｎと、これらの移動局装置５０１−１〜５０１−Ｎと無線によるデータの送受信を行う基地局装置５０２−１〜５０２−Ｎと、これらの基地局装置５０２−１〜５０２−Ｎに接続されこれらの基地局装置５０２−１〜５０２−Ｎを制御する基地局制御装置１０３と、を具備している。
【００８９】
移動局装置５０１−１〜５０１−Ｎの各々は、受信品質値検出部１０１１、品質不良信号生成部５０１１及び品質不良判定信号報告部５０１２を具備している。
【００９０】
品質不良信号生成部５０１１の入力端子は、受信品質値検出部１０１１の出力端子に接続されている。品質不良判定信号報告部５０１２の入力端子は、品質不良信号生成部５０１１の出力端子に接続されている。
【００９１】
受信品質値検出部１０１１は、基地局装置５０２−１〜５０２−Ｎの中からＨＳＤＰＡが送信される基地局装置が常時送信している信号の受信品質値を検出して品質不良信号生成部５０１１に与える。品質不良信号生成部５０１１は、受信品質値検出部１０１１からの受信品質値と所定の閾値とを比較して前記受信品質値が前記所定の閾値より小さい時に品質不良信号を生成して品質不良判定信号報告部５０１２に与える。品質不良判定信号報告部５０１２は、品質不良信号生成部５０１１からの品質不良信号を受けて単位時間当たりの品質不良信号の生成回数である品質不良信号生成回数を計測し前記品質不良信号生成回数が所定の回数以上である時に品質不良判定信号を生成してＨＳＤＰＡによるデータ伝送が行われる基地局装置に無線で報告する。
【００９２】
基地局装置５０２−１〜５０２−Ｎの各々は、第１のデータ伝送部１０２２、第２のデータ伝送部１０２３、品質不良判定検出部５０２１及び品質不良信号報告部１０２４を具備している。
【００９３】
品質不良判定検出部５０２１は、前記品質不良判定信号を受けていることを検出して品質不良信号を生成し品質不良信号報告部１０２４を介して基地局制御装置１０３に通知する。基地局制御装置１０３において、制御信号送信部１０３１は、品質不良信号報告部１０２４から報告された品質不良信号に該当する移動局装置に対するデータ伝送をＨＳＤＰＡからＤＰＣＨに切り替えるように制御信号を生成して、該当する移動局装置にＨＳＤＰＡ伝送を行っている基地局装置５０２−１〜５０２−Ｎのいずれかに報告する。
【００９４】
このように、本発明の実施の形態４においては、基地局制御装置は移動局装置よりＨＳＤＰＡの非対応機であるとの通知を受けるため、送信したデータがある時にはＤＰＣＨ上で送信がなされ移動局装置はデータを受け取ることができ、かつ、無駄な受信品質値の送信を抑制することができるため基地局スケジューラの負荷も減少するから、システム全体のスループットを向上させることができる。
【００９５】
（実施の形態５）
次に、本発明の実施の形態５について、図面を参照して詳細に説明する。
【００９６】
図６は、本発明の実施の形態５に係る無線通信システムを示すブロック図である。本発明の実施の形態５においては、発明の実施の形態１と同じ構成要素には同じ参照符号が付されて、その説明が省略される。
【００９７】
図６に示すように、本発明の実施の形態５に係る無線通信システム６００は、複数の移動局装置１０１−１〜１０１−Ｎと、これらの移動局装置１０１−１〜１０１−Ｎと無線によるデータの送受信を行う基地局装置１０２−１〜１０２−Ｎと、これらの基地局装置１０２−１〜１０２−Ｎに接続されこれらの基地局装置１０２−１〜１０２−Ｎを制御する基地局制御装置６０３と、を具備している。
【００９８】
移動局装置１０１−１〜１０１−Ｎの各々は、受信品質値検出部１０１１及び受信品質値報告部１０１２を具備している。受信品質値報告部１０１２の入力端子は、受信品質値検出部１０１１の出力端子に接続されている。
【００９９】
基地局装置１０２−１〜１０２−Ｎの各々は、制御部１０２５、品質不良信号生成部１０２１、品質不良信号報告部１０２４、第１のデータ伝送部１０２２及び第２のデータ伝送部１０２３を具備している。制御部１０２５は、品質不良信号生成部１０２１、品質不良信号報告部１０２４、第１のデータ伝送部１０２２及び第２のデータ伝送部１０２３に接続されている。品質不良信号報告部１０２４の入力端子は、品質不良信号生成部１０２１の出力端子に接続されている。基地局制御装置６０３は、第３の制御信号送信部６０３１を具備している。
【０１００】
移動局装置１０１−１〜１０１−Ｎの各々において、受信品質値検出部１０１１は、ＨＳＤＰＡによるデータ伝送の対象となる基地局装置１０２−１〜１０２−Ｎから送信される送信信号の受信品質値を検出して受信品質値報告部１０１２に与える。受信品質値報告部１０１２は、受信品質値検出部１０１１からの受信品質値を受けて測定したいずれかの基地局装置１０２−１〜１０２−Ｎに無線で報告する。
【０１０１】
基地局装置１０２−１〜１０２−Ｎの各々において、品質不良信号生成部１０２１は、受信品質値報告部１０１２からの受信品質値と所定の閾値とを比較して前記受信品質値が前記所定の閾値より小さい時に品質不良信号を生成して品質不良信号報告部１０２４に与える。品質不良信号報告部１０２４は、品質不良信号生成部１０２１からの品質不良信号を基地局制御装置６０３に報告する。
【０１０２】
基地局制御装置６０３の第３の制御信号送信部６０３１は、品質不良信号報告部１０２４からの品質不良信号を受けて単位時間当たりの品質不良信号の生成回数である品質不良信号生成回数を計測し前記品質不良信号生成回数が所定の回数以上である時に該当する移動局装置のＨＳＤＰＡによるデータ伝送をＤＰＣＨに切り替えるよう制御信号を生成して基地局装置１０２−１〜１０２−Ｎに報告する。
【０１０３】
基地局装置１０２−１〜１０２−Ｎの各々において、制御部１０２５は、第３の制御信号送信部６０３１から制御信号を受けていない時に該当する移動局装置１０１−１〜１０１−Ｎに対しＨＳＤＰＡによるデータの伝送を行う。
【０１０４】
また、基地局装置１０２−１〜１０２−Ｎの各々において、制御部１０２５は、第３の制御信号送信部６０３１から制御信号を受けている時に該当する移動局装置１０１−１〜１０１−Ｎに対しＤＰＣＨによるデータの伝送を行う。
【０１０５】
このように、本発明の実施の形態５においては、基地局制御装置はＨＳＤＰＡによるデータ送信の効率が良くない移動局装置を特定できるため、その移動局装置には一時的にＨＳＤＰＡによるデータ伝送に替えてＤＰＣＨによるデータの伝送に切り替えるように制御ができるから、システム全体のスループットを向上させることができる。
【０１０６】
（実施の形態６）
次に、本発明の実施の形態６について、図面を参照して詳細に説明する。
【０１０７】
図７は、本発明の実施の形態６に係る無線通信システムを示すブロック図である。本発明の実施の形態６においては、発明の実施の形態１と同じ構成要素には同じ参照符号が付されて、その説明が省略される。
【０１０８】
図７に示すように、本発明の実施の形態６に係る無線通信システム７００は、複数の移動局装置１０１−１〜１０１−Ｎと、これらの移動局装置１０１−１〜１０１−Ｎと無線によるデータの送受信を行う基地局装置７０２−１〜７０２−Ｎと、これらの基地局装置７０２−１〜７０２−Ｎに接続されこれらの基地局装置７０２−１〜７０２−Ｎを制御する基地局制御装置１０３と、を具備している。
【０１０９】
移動局装置１０１−１〜１０１−Ｎの各々は、受信品質値検出部１０１１及び受信品質値報告部１０１２を具備している。受信品質値報告部１０１２の入力端子は、受信品質値検出部１０１１の出力端子に接続されている。
【０１１０】
基地局装置７０２−１〜７０２−Ｎの各々は、制御部１０２５、品質不良信号生成部１０２１、品質不良判定信号報告部７０２１、第１のデータ伝送部１０２２及び第２のデータ伝送部１０２３を具備している。制御部１０２５は、第１のデータ伝送部１０２２及び第２のデータ伝送部１０２３に接続されている。品質不良判定信号報告部７０２１の入力端子は、品質不良信号生成部１０２１の出力端子に接続されている。基地局制御装置１０３は、制御信号送信部１０３１を具備している。
【０１１１】
移動局装置１０１−１〜１０１−Ｎの各々において、受信品質値検出部１０１１は、基地局装置７０２−１〜７０２−Ｎの中からＨＳＤＰＡによるデータ伝送を受ける基地局装置より送信される送信信号の受信品質値を検出して受信品質値報告部１０１２に与える。受信品質値報告部１０１２は、受信品質値検出部１０１１からの受信品質値を受けて基地局装置７０２−１〜７０２−Ｎに無線で報告する。
【０１１２】
基地局装置７０２−１〜７０２−Ｎの各々において、品質不良信号生成部１０２１は、受信品質値報告部１０１２からの受信品質値と所定の閾値とを比較して受信品質値が所定の閾値より小さい時に品質不良信号を生成して品質不良判定信号報告部７０２３に与える。品質不良判定信号報告部７０２１は、品質不良信号生成部１０２１からの品質不良信号を受けて単位時間当たりの品質不良信号の生成回数である品質不良信号生成回数を計測し品質不良信号生成回数が所定の回数以上である時に品質不良判定信号を生成して基地局制御装置１０３に報告する。
【０１１３】
基地局制御装置１０３において、制御送信部１０３１は、品質不良判定信号報告部７０２１からの品質不良判定信号を受けている時に該当する移動局装置に対するデータ伝送をＨＳＤＰＡからＤＰＣＨに切り替えるように制御信号を生成して制御部１０２５に送信する。
【０１１４】
このように、本発明の実施の形態６においては、基地局制御装置は移動局装置に対してＨＳＤＰＡを割り当てることができないと認識するため、データ送信をＤＰＣＨに切り替えることができるから、システム全体のスループットを向上させることができる。
【０１１５】
【発明の効果】
以上説明したように、本発明によれば、複数の移動局装置に対するＨＳＤＰＡの割当を制御することにより、システム全体のスループットを向上させることができる。
【図面の簡単な説明】
【図１】本発明の実施の形態１に係る無線通信システムの構成を示すブロック図
【図２】本発明の実施の形態１に係る無線通信システムの動作の１例を説明するための図
【図３】本発明の実施の形態２に係る無線通信システムの構成を示すブロック図
【図４】本発明の実施の形態３に係る無線通信システムの構成を示すブロック図
【図５】本発明の実施の形態４に係る無線通信システムの構成を示すブロック図
【図６】本発明の実施の形態５に係る無線通信システムの構成を示すブロック図
【図７】本発明の実施の形態６に係る無線通信システムの構成を示すブロック図
【図８】伝搬路の品質を示すＣＱＩ値を説明するための図
【符号の説明】
１００、３００、４００、５００、６００、７００  無線通信システム
１０１−１〜１０１−Ｎ、３０１−１〜３０１−Ｎ、５０１−１〜５０１−Ｎ
移動局装置
１０２−１〜１０２−Ｎ、３０２−１〜３０２−Ｎ、４０２−１〜４０２−Ｎ、５０２−１〜５０２−Ｎ、７０２−１〜７０２−Ｎ  基地局装置
１０３、４０３、６０３  基地局制御装置
１０１１  受信品質値検出部
１０１２  受信品質値報告部
１０２１  品質不良信号生成部
１０２２  第１のデータ伝送部
１０２３  第２のデータ伝送部
１０２４  品質不良信号報告部
１０２５  制御部
１０３１  制御信号送信部
３０１１  受信品質比較部
３０１２  受信品質比較結果報告部
３０２１  品質不良検出部
４０２１  第１の送信部
４０２２  第２の送信部
４０２３  第２の制御部
４０３１  第２の制御信号送信部
５０１１  品質不良信号生成部
５０１２  品質不良判定信号報告部
５０２１  品質不良判定検出部
６０３１  第３の制御信号送信部
７０２１  品質不良判定信号報告部
【図１】
2004328521.tif 000003
【図２】
2004328521.tif 000004
【図３】
2004328521.tif 000005
【図４】
2004328521.tif 000006
【図５】
2004328521.tif 000007
【図６】
2004328521.tif 000008
【図７】
2004328521.tif 000009
【図８】
2004328521.tif 000010